(57)【要約】【課題】  使用する人に合わせて、最も適した位置にスプリング脚を設置することができ、必要に応じて、普通のベッドとしても使用することができるウッドスプリングシステム及びウッドスプリングベッド。【解決手段】  ベッド用すのこ上に反発力や長さの違うスプリング脚を設置し、使用する人に合わせて、最も適した状態で使用できるようにしたウッドスプリングシステム及びウッドスプリングベッド。【選択図】  図１
2010263950.tif 000002
【特許請求の範囲】
【請求項１】
ヘッド・フットボード１、サイドフレームに付設したすのこ受け２、ベッド用すのこ３
、スプリング脚４、ウッドスプリング５、およびスペーサー６からなり、普通ベッドとし
て用いる場合には、スペーサー６をすのこ受け２に装着してスペーサー６を介してベッド
用すのこ３を装着して用い、ウッドスプリングベッドとして用いる場合には、ベッド用す
のこ３をすのこ受け２に装着し、ベッド用すのこ３上の任意の位置にかつ任意の形状にし
たスプリング脚４を載置し、スプリング脚４を介してウッドスプリング５を装着して用い
ることができることを特徴とするウッドスプリングベッドの構造。  
【請求項２】
ヘッド・フットボード１に複数個の補助柱を付設し、各補助柱を蚊防止用網で覆っこと
を特徴とする請求項1のウッドスプリングベッドの構造。
【請求項３】
ヘッド・フットボード１と補助柱の間にベッド用棚板を挟んで装着したことを特徴とす
る請求項1のウッドスプリングベッドの構造。
【請求項４】
ベッド用すのこ３とウッドスプリング５の間に設置されるスプリング脚４により発生す
る空間に炭、消臭剤、その他機器等を設置可能な請求項１のウッドスプリングシステム及
びウッドスプリングベッドの構造。
【請求項５】
スプリング脚４は任意の長さ、任意の反撥係数を有するスプリング部品を付加し床上又
はベッドフレーム上にて高さ及び反撥力を容易に調整可能とすることが出来る請求項１の
ウッドスプリングベッドの構造  
【発明の詳細な説明】
【背景技術】
【０００１】
本発明は、改良されたウッドスプリングシステム及びウッドスプリングベッドに関するも
のである。
【０００２】
わが国では、ベッドマッドというと金属スプリングマットレスが主流であるが、近年、
ヨーロッパでは、リサイクルしにくい金属スプリングを避け、木の持つ弾力性を生かした
ウッドスプリングベッドが、寝心地の良さと、通気性の良さと、自然・環境志向から、主
流となっている。
【０００３】
しかしながら、従来のウッドスプリングベッドは、ウッドスプリング用に製造した特別
の木枠を用いなければならず、また、スプリング脚は予め設定された箇所に    一直線に
設置されており、個人個人に適した調整が不可能であった。
【先行技術文献】
【特許文献】
【０００４】
【特許文献１】平０７−１９４４６５
【発明の概要】
【０００５】
本発明は、このような従来のウッドスプリングベッドの現状に鑑み、鋭意検討の結果完成
されたものであって、使用する人に合わせて、最も適した位置にスプリング脚を設置する
ことができ、必要に応じて、普通のベッドとしても使用することができるウッドスプリン
グシステム及びウッドスプリングベッドに関するものである。
【発明が解決しようとする課題】
【０００６】
使用する人に合わせて、最も適した位置にスプリング脚を設置することができ、必要に
応じて、普通のベッドとしても使用することができるウッドスプリングベッドを提供する
ことである。
【課題を解決するための手段】
【０００７】
ベッド用すのこ上にスプリング脚を設置し、使用する人に合わせて、最も適した状態で
使用できるようにした。
【０００８】
すなわち、本発明は、ヘッド・フットボード１、サイドフレームに付設したすのこ受け
２、ベッドすのこ３、スプリング脚４、ウッドスプリング５、およびスペーサー６からな
り、普通ベッドとして用いる場合には、スペーサー６をすのこ受け２に装着してスペーサ
ー６を介してベッド用すのこ３を装着して用い、ウッドスプリングベッドとして用いる場
合には、ベッド用すのこ３をすのこ受け２に装着し、ベッド用すのこ３上の任意の位置に
かつ任意の形状にしたスプリング脚４を載置し、スプリング脚４を介してウッドスプリン
グ５を装着して用いることができることを特徴とするウッドスプリングベッドの構造。
【０００９】
（２）ヘッド・フットボード1に複数個の補助柱を付設し、各補助柱を蚊防止用網で覆っ
たことを特徴とする１のウッドスプリングベッドの構造。
【００１０】
（３）ヘッド・フットボード1と補助柱の間にベッド用棚板を挟んで装着したことを特徴
とする（１）のウッドスプリングベッドの構造。
【００１１】
（４）キャスター付きベッドサイドワゴンと組み合わせたことを特徴とする（１）のウッ
ドスプリングベッドの構造である。
【発明を実施するための形態】
【００１２】
本発明で用いられるウッドスプリング５は、通常、約４０本前後の薄く、かつ、しなや
かな薄い木製のウッドスプリング板を、各両端をスプリング脚で束ねたものであって、従
来使用しているベッドが使用可能である。ウッドスプリングベッドとして用いる場合には
、ベッド用すのこ３をすのこ受け２に装着し、ベッド用すのこ３上の任意の位置にかつ任
意の形状にしたスプリング脚4を載置し、スプリング脚4を介してウッドスプリング５を装
着して用いる。本発明においては、ベッド用すのこ３が存在するので、スプリング脚４を
任意の位置にかつ任意の形状にして載置することができ、単なる直線だけでなく、使用す
る人にあわせてエス字状にしたり、必要に応じて、短めに切ったスプリング脚４‘を任意
の数、任意の位置に補助的に載置することもできる。また、ウッドスプリング板も必ずし
も等間隔ではなく、抜き差し自由にして、一部のウッドスプリング板を間引いて使用する
こともできる。
【００１３】
スプリング脚４は、従来のラバースプリング脚も使用できるが、ウレタン製のものを使
用すれば、ラテックスアレルギーを防止することができる。
【００１４】
また、ヘッド・フットボード１に複数個の補助柱を付設し、各補助柱を蚊防止用網で覆
って、蚊帳付きウッドスプリングベッドとすることもできる。
【００１５】
また、ヘッド・フットボード１と補助柱の間にベッド用棚板を挟んで装着し、このベッ
ド用棚板を便宜に使用することもできる。
また、キャスター付きベッドサイドワゴンと組み合わせれば、本発明のウッドスプリング
ベッドはさらに便宜にしようすることができる。
【００１６】
本発明のウッドスプリングベッドは、敷き布団と組み合わせて用いるのが好ましく、独
立したウッドスプリング板に体の各部分がフィットし、寝返りが打ちやすい。また、ベッ
ド用すのこ３を採用しているので、床板や畳との間に適度な空間を確保することができ、
通気性に優れ、蒸れの心配も無い。また、敷き布団の下等に、半身起き上がれるような補
助装置や足挙げ装置を設置することにより、食事や読書等も可能となる。
【００１７】
なお、普通のベッドとして用いる場合には、スペーサー６すのこ受け２に装着してスペ
ーサー６を介してベッド用すのこ３を装着して用いるが、スペーサー６とすのこ受け２は
、ボルト等で装着しても良いが、蝶つがい等で装着すれば、スペーサー６の保管にも便宜
である。
【図面の簡単な説明】
【００１８】
【図１】ウッドスプリングの説明図である。
【図２】本発明に係るウッドスプリングベッドとして用いる際の構成を示した断面図である。
【図３】本発明に係る普通ベッドとして用いる際の構成を示した断面図である。
【符号の説明】
【００１９】
１  ヘッド・フットボード
２  サイドフレームに付設したすのこ受け
３  ベッド用すのこ
４  スプリング脚
５  ウッドスプリング
６  スペーサー
【図１】
2010263950.tif 000003
【図２】
2010263950.tif 000004
【図３】
2010263950.tif 000005